(57)【要約】  【課題】ワゴンにパソコン等の貴重品や守秘性物品を安全な状態で載せたままにしておくことを可能ならしめるワゴン格納装置を提供する。  【手段】ワゴン格納装置１は、天板３と左右脚板４と扉板６とを備えており、扉板６は、シリンダ錠等の施錠手段でロック状態に保持される。ワゴン５は物品を覆うシャッターを備えている。格納状態でワゴンに収納している物品に外からアクセスすることはできず、また、正規に解錠しない限りワゴン５を引き出すこともできない。このため、パソコン等の貴重品もワゴン５に載せたままにしておける。【選択図】      図１
2007014699.tif 000002
【特許請求の範囲】
【請求項１】
キャスター付きのワゴンを格納する格納装置であって、ワゴンを出し入れできるフリー状態と出し入れできないロック状態とに切り換える遮蔽手段と、遮蔽手段をロック状態に保持する施錠手段とを設けている、
ワゴン格納装置。
【請求項２】
天板と左右の脚板とを備えており、天板にキャビネットを載置可能になっている一方、前記脚板は格納したワゴンの全体を側方から覆う奥行き寸法に設定されている、
請求項１に記載したワゴン格納装置。
【請求項３】
前記施錠手段はＩＤカードに記録されている情報を読み取ることによって解錠される電気錠であって、電気錠を、記憶装置が組み込まれている制御装置に接続している、
請求項１又は２に記載したワゴン格納装置。
【発明の詳細な説明】
【技術分野】
【０００１】
本願発明は、病院用等のワゴンの格納装置（ワゴンストッカー）に関するものである。
【背景技術】
【０００２】
ワゴンは病院を初めとした各種の設備で使用されている。そして、不使用時にはどこかに置くことになるが、例えば病院用のワゴンの場合、従来は廊下の端や部屋の隅に置いているに過ぎず、ワゴン用の格納装置というものはなかった。
【０００３】
他方、特許文献１にはキャビネットにワゴン収納部を設けることが記載されており、また、特許文献２には、システムキッチンにワゴン収納部を設けることが記載されている。
【特許文献１】特開２００１−１２８７５７号公報
【特許文献２】特開２０００−２１７６５２号公報
【発明の開示】
【発明が解決しようとする課題】
【０００４】
ところで、病院で使用するワゴンにはパソコンのような高価な物品を載せたり、カルテのように守秘性のある物品を載せたりすることがあるが、作業の手間軽減のため、これらを載せたままにしておきたいとの要望も多い。特に、近年、病院でもパソコンが必需品化しているが、使用後のパソコンをナースセンターや事務室に戻すのは面倒であることから、ワゴンに載せたままにしておきたいとの要望が強い。
【０００５】
しかし、従来のように使用後にワゴンを廊下や部屋の隅に置いたままにしておくのは、パソコン自体を盗難されたりデータを盗み取られたりする虞がある。また、特許文献１，２のように家具や室内設備にワゴン収納部を設けても、盗難の危険は防止できない（特許文献１，２は家庭内で使用するものであるため、そもそも盗難防止という観念が存在しない。）。更に、ワゴンに錠付きの引き出しを設けたり、ワゴンの上部に錠付きのシャッターを設けたりすることも行われているが、ワゴンごと盗難に合うと意味がないという問題がある。
【０００６】
また、病院用ワゴンの場合、例えばナースセンターに保管しておくことで安全性を確保できるが、多数のワゴンをナースセンターに保管すると作業の邪魔になり、また、ナースセンターから最も遠い病室がナースセンターから遠く離れている場合、ナースセンターと病室との中間点にワゴンを置いておきたいという要望もあるが、安全性の点からこのような要望に応えられない場合もあった。
【０００７】
本願発明は、このような現状を改善することを課題とするものである。
【課題を解決するための手段】
【０００８】
請求項１の発明は、キャスター付きのワゴンを格納する格納装置において、ワゴンを出し入れできるフリー状態と出し入れできないロック状態とに切り換える遮蔽手段と、遮蔽手段をロック状態に保持する施錠手段とを設けている点に特徴を有する。
【０００９】
請求項２の発明は、請求項１において、天板と左右の脚板とを備えており、天板にキャビネットを載置可能になっている一方、前記脚板は格納したワゴンの全体を側方から覆う奥行き寸法に設定されている。
【００１０】
また、請求項３の発明は、請求項１又は２において、前記施錠手段はＩＤカードに記録されている情報を読み取ることによって解錠される電気錠であって、電気錠を、記憶装置が組み込まれている制御装置に接続している。
【発明の効果】
【００１１】
本願発明では、遮蔽手段を施錠手段でロックすることにより、ワゴンを引き出し不能に保持できるためワゴンの盗難を防止できる。従って、ワゴンに例えばシャッターのような収納部遮蔽手段を設けておくことにより、パソコンのような高価な物品でも載せたままにしておくことができ、それだけ使用者の手間を省くことができる。
【００１２】
ワゴンは人が押して移動させるものであるため高さはさほど高くはなく、従って、格納装置の上方には大きな空間が空くことになる。この点、請求項２のように格納装置の上面にキャビネット類を載置できるように構成すると、空間を有効利用できるのみならず、格納装置はいちいちアンカー類で建物に固定しなくても移動不能に保持できる利点がある。また、ワゴンは左右両側から脚で全体が覆われるため、ワゴンの構造を簡単化しつつ防盗性を確保できる利点もある（この点は実施形態において説明する）。
【００１３】
請求項３のように構成すると、ワゴンの使用履歴を記録できるため、作業の管理を効率化したり、トラブルが発生した場合の原因解明を迅速に行えるなど、多くの利点がある。
【発明を実施するための最良の形態】
【００１４】
次に、本願発明の実施形態を図面に基づいて説明する。本実施形態は、病院で使用するワゴンの格納装置に適用している。
【００１５】
(1).第１実施形態（図１〜図５）
図１〜図５では第１実施形態を示している。図１は建物の壁際に設置した収納設備の斜視図であり、本実施形態のワゴン格納装置１は、多数のキャビネットを有するユニット方式の収納設備の一部に組み込まれている。本実施形態のワゴン格納装置１は、天板３と左右の脚板４と背板（図示せず）とを有する門形の支持枠２を備えており、支持枠２で囲われた内部に３台のワゴン５を左右に並べて格納できるようになっている。天板３と脚板４とは補強板３ａを介して固定されている。
【００１６】
隣り合ったワゴン５は、出し入れに際して接触しない程度の必要最小限度の間隔しか開かないように設定している。換言すると、ワゴン５の横幅と左右脚板４の間隔寸法との関係を、隣り合ったワゴン５の間及びワゴン５と脚板４との間に人が手を差し込むことができない関係に設定している。支持枠２の前面には遮蔽手段の一例として、跳ね上げ式の扉板６を設けている。
【００１７】
また、支持枠２には水平回動扉方式の第１キャビネット７が２台並べて載置されており、ワゴン格納装置１及び第１キャビネット７の片側（右側）には、引き出し方式の第２キャビネット８と危険物保管用の第３キャビネット９と水平回動扉方式の第４キャビネット１０とが重ね配置されている。ワゴン格納装置１は第２キャビネット８と同じ高さになっている。また、ワゴン格納装置１を含む収納設備の左右両側には、キャビネット７〜１０よりも奥行き寸法が大きくてワゴン格納装置１と同じ奥行きの側板１１を配置している。
【００１８】
このように側板１１を設けているのは、ワゴン５の奥行きがキャビネット７〜１０の奥行き寸法より大きいためである。第３キャビネット９は外箱と内箱との二重構造になっており、物品収納部は外扉１２と内扉（図示せず）との二重扉になっている。外扉１２は電気錠で解錠されるようになっており、第３キャビネット９の前面のうち外扉１２の外側には、ＩＤカードの上方を読み取るリーダー１３を設けており、ＩＤカードの情報が読み取られて正規の使用者であることが確認されると電気錠が解錠される。また、解錠履歴（誰がいつ使用したか）は第３キャビネット９の内部（又は外部）に設けた制御装置に記憶される。
【００１９】
次に、ワゴン５の詳細を図２に基づいて説明する。図２のうち（Ａ）（Ｂ）はワゴン５の斜視図、（Ｃ）は（Ａ）のＣ−Ｃ視断面図である。この図２に示すように、ワゴン５は前後長手の平面視長方形に形成されており、前後枠１６は板で遮蔽されており、前後枠１６の上端には把手１７を設けている。また、前面には上向きに開口したポケット部１８を設けている。
【００２０】
ワゴン５は複数の上段棚板１９と下段棚板２０と中間棚板２１とを備えており、中間棚板２１は遮蔽物がないオープン方式になっている。他方、上段棚板１９は前後枠１６よりも下方に位置しており、これに例えばノート型パソコン２２を載置できるようになっている。パソコン２２はワゴン５を横長の姿勢にして使用される。
【００２１】
上段棚板１９で形成された上部収納空間２３は上シャッター２４で塞がれ、下段棚板２０で形成された下部収納空間２５は下シャッター２６で塞がれるようになっている。このため、前後枠１６の内面には、シャッター２４，２６がスライドするガイド溝２７を設けている。また、上下のシャッター２４，２６とも、閉じた状態を保持するため、キーで解錠されるシリンダ錠２８を設けている（シリンダ錠２８は棚板１９，２０を設けることも可能である。一方の前後枠１６には上部収納空間２５に電源ケーブルを通すための配線穴２９が空いている。
【００２２】
収納部２３，２５は、パソコンを使用する状態で人の奥側に位置した面は側板１６ａで塞がれている。
【００２３】
ワゴン５は物品の出し入れ口が左右方向に開口する姿勢で格納している。すると、支持枠２には左右脚板４が存在するため、ワゴン格納装置１の外側から外が上下収納空間２３，２５に手を入れることはできず、また、隣り合ったワゴン５は密接していて隙間に手を差し込むことはできない。このため、各収納空間２３，２５が横向きに開口していても防盗性には支障はない。
【００２４】
従って、シャッター等の遮蔽手段がなくても、格納装置１に格納してしまうとワゴン５の収納空間に人が手を差し込んで物品を取り出すことはできない。よって、単なるオープンタイプのワゴンであっても、安全性を確保した状態で格納することができるのである。
【００２５】
次に、ワゴン格納装置１の詳細（主として施錠機構）を図３以下の図面も参照して説明する。図３は正面図、図４は支持枠２の部分的な縦断正面図、図５は施錠機構を示す図である。本実施形態では支持枠２の天板３と脚板４と合板等の木質板を使用しているが、金属板製であっても良い。
【００２６】
ワゴン格納装置１の扉板６は、左右脚体４の上部内側面に設けたブラケット３１にヒンジ（又はピン）３２を介して跳ね上げ回動自在に取付けられている。また、左右脚板４と扉板６とはリンク３３を介して連結されている。
【００２７】
リンク３３は２枚の板をねじ又はピンで回動自在に締結した構造であり、扉板６を跳ね上げ切ってから僅かに戻すと、リンク３３が突っ張って跳ね上げ回動状態が保持され、また、開き状態が保持された扉板６を上限まで上向きに回動させると、リンクの突っ張りが解除されて扉板６が閉じるようになっている。なお、扉板６を水平姿勢に保持できるように設定しておくと、キャビネットに物品を出し入れるに際して物品を扉板６に仮置きできる利点がある。リンク３３を摩擦板方式にして、扉板６を任意の開き姿勢に保持できるようにしても良い。
【００２８】
扉板６は金属板製（スチール製）であり、左右中間部には引手６ａを設けている。また、扉板６６の自由端部を中空状に折り曲げ形成し、この折り曲げ部に左右長手のラッチ杆３４を配置している。ラッチ杆３４はその複数箇所を軸受に（図示せず）によって回転自在に支持されており、左右両端には閉扉状態で左右脚板４の内側面に沿って延びるラッチ爪３５を固定している。
【００２９】
他方、支持枠２における左右脚板４の内側面には、ラッチ爪３５が係脱する係合片３６を設けており、ラッチ爪３５は係合片３６と係合する姿勢にばね３７で付勢されている。係合片３６は箱状のケース３７に形成されている。これは、人が指でラッチ爪３５に触れることができないようにするためである。
【００３０】
更に、扉板６の自由端部の裏面には、キーで解錠操作されるシリンダー錠３９を設けている。そして、ラッチ杆３４のうちシリンダ錠３９の近傍にストッパー片４０を固着して、ストッパー片４０がロック解除方向に回動することをシリンダ錠３９の閂片４１で阻止することにより、ロック状態を保持している。シリンダ錠３９に代えて、電磁ソレノイドやモータで駆動される電気錠を設けることも可能である。
【００３１】
扉板６に電気錠を設けた場合は、第３キャビネット９に設けたリーダー１３に扉板６の解錠と第３キャビネット９の解錠との選択スイッチを設けて、ＩＤカードを当てる前又は後にいずれかを選択したら良い。扉板６の施錠手段として電気錠を使用すると、例えば遠隔的に施錠することによって施錠忘れを防止できる利点や、使用履歴を残してトラブルの迅速処理等を行える利点もある。なお、錠（機械錠、電気錠を問わない）は支持枠２に設けることも可能である。
【００３２】
(2).他の実施形態（図６〜図７）
図６では第２実施形態を示している。この実施形態では施錠手段として伸縮式のバー（柵）４３を使用している。バー４３はその一端部が一方の脚体４の前面に前後長手のピン４４で連結されており、押し縮めてから下向き姿勢にすることによってワゴンの出し入れを行える。また、他方の脚板４には、バー４３を水平状態に保持する受け部材４５をビス止め等によって固着している。
【００３３】
そして、バー４３の先端にシリンダ錠３９を固着している一方、受け部材４５には、シリンダ錠３９の閂片４１が係脱する係合穴４６を形成している。受け部材４５は二重方式になっており、係合穴４６に閂片４１に外側から人の指やドライバ等を触れることができないようになっている。
【００３４】
図７（Ａ）に示す第３実施形態では、扉板６は水平姿勢で跳ね上げてから支持枠２の内部に押し込みできるようになっている。図示していないが、左右脚板の内側面には前後長手のレールが配置されており、レールにスライド自在に装着したスライダーに扉板６が回動自在に取り付けてられている。
【００３５】
図７（Ｂ）に示す第４実施形態では、遮蔽手段は左右のリンクに複数本のバーを取付けた柵方式になっている。図示していないが、施錠手段としては例えば脚にシリンダ錠や押し込み錠を設けたら良い。
【００３６】
図７（Ｃ）に示す第５実施形態では遮蔽手段としてシャッター４７を採用している。従って、左右脚板４の内面にはシャッター４７を案内する案内溝４８が形成されている。図７（Ｄ）に示す第６実施形態では、シリンダ錠３９の左右両側に水平状に延びる軸４９をスライド自在に配置し、シリンダ条９の解施錠操作で左右軸４９が同時に前進後退するように閂片４１と軸３９とをリンク５０で連結している。ロック機構としては、軸４９の先端を例えば脚板４に設けた穴に直接に嵌め込んでも良いし、扉板６の左右両端に設けたロックピンを軸３９で前後動させるなどしたら良い。
【００３７】
(3).その他
本願発明は上記の実施形態の他にも様々に具体化できる。例えば、１つのワゴン格納装置に１台のみのワゴンを格納する構成でも良い。また、複数台を格納できる場合、１台の格納エリアごとに遮蔽手段を設けることも可能である。この場合、各遮蔽手段に電気錠を設けると、個々のワゴンごとに使用履歴を記録できて好適である。遮蔽手段としては、上記した実施形態の他にも、鎖やワイヤーなど様々のものを使用できる。
【図面の簡単な説明】
【００３８】
【図１】第１実施形態が組み込まれた収納設備の斜視図である。
【図２】ワゴンの構造を示す図である。
【図３】ワゴン格納装置の正面図である。
【図４】支持枠の部分的な縦断正面図である。
【図５】施錠機構を示す図である。
【図６】第２実施形態を示す図である。
【図７】第３〜第６実施形態を示す図である。
【符号の説明】
【００３９】
１  ワゴン格納装置
２  支持枠
３  天板
４  脚板
５  ワゴン
６  扉板
３４  ラッチ杆
３５  ラッチ爪
３６  係合片
３９  施錠手段の一例としてのシリンダ錠
【図１】
2007014699.tif 000003
【図２】
2007014699.tif 000004
【図３】
2007014699.tif 000005
【図４】
2007014699.tif 000006
【図５】
2007014699.tif 000007
【図６】
2007014699.tif 000008
【図７】
2007014699.tif 000009